(57)【特許請求の範囲】
【請求項１】
引戸の木口面に固定される座金と、この座金に基端部が着脱自在に装着され先端部に弾性部材を有する本体部材とからなる引戸用戸当りにおいて、座金は木口面又は戸枠に固定され、弾性部材は座金に係合可能な係合部を備え、基端部を座金に装着した第１の戸当り取付形態と、弾性部材の係合部を座金に装着した第２の戸当り取付形態とを選択可能に構成し、引戸の引き残し距離を変更可能にしたことを特徴とする引戸用戸当り。
【請求項２】
請求項１記載の引戸用戸当りにおいて、第２の戸当り取付形態は、長尺部材からなる本体部材を、引戸の木口面又は戸枠に沿って平行に取付けた形態であることを特徴とする引戸用戸当り。
【請求項３】
請求項１又は２記載の引戸用戸当りにおいて、弾性部材は引戸の木口面又は戸枠と衝突する凸面形状の衝突部を備え、衝突部は第１の戸当り取付形態における第一衝突部と、第２の戸当り取付形態における第２衝突部とからなることを特徴とする引戸用戸当り。
【請求項４】
請求項１〜３いずれか記載の引戸用戸当りにおいて、弾性部材は衝突部の内部に空隙を備えたことを特徴とする引戸用戸当り。
【請求項５】
請求項１〜４いずれか記載の引戸用戸当りにおいて、基端部と係合部は、座金と雌雄係合により着脱自在に構成されていることを特徴とする引戸用戸当り。
【発明の詳細な説明】
【０００１】
【発明の属する技術分野】
本発明は、たとえば引戸等に用いられる引戸用戸当りに関する。
【０００２】
【従来の技術】
従来、特開平１０−７２９６９号公報に記載の引戸用戸当りが知られている。
【０００３】
この従来の引戸用戸当りは、引戸の木口面側に固定される座金に対して、先端部に弾性部材を有する本体部材の基端部を装着し、戸開放時に本体部材の先端部を戸枠等に当接させて戸の移動量が規制されるものである。よって、戸間の隙間への引手の移動が本体部材の軸長に相当する引き残し距離分だけ阻止されて、指詰めの発生を容易且つ確実に防止している。また、戸開放時に本体部材の先端部が戸枠等に急激に当接した場合であっても、弾性部材がその衝撃を和らげるため、衝撃音等の発生を防止して、その側端面に傷を付けてしまうことがないようにしている。
【０００４】
【発明が解決しようとする課題】
しかしながら、上述した従来の引戸用戸当りでは、戸開放時に本体部材の先端部が戸枠等に当接することにより、引き残し距離分の移動を規制しているが、この引き残し距離は本体部材のほぼ軸長と一致し、引き残し距離を変更したい場合は、他の軸長の本体部材と交換、もしくは所望に合った引き残し距離分の軸長で構成される戸当りを新たに購入しなければならない問題点がある。
【０００５】
また、戸当たりによる引戸の移動量の規制を解除する場合は、本体部材を座金から取り外して別に保管しなければならず、紛失してしまう恐れがある。また、引戸の木口面側に固定される座金は、剥き出しとなってしまうため、戸開放時の戸枠等に当接する際に不快な音を発するとともに戸枠等を損傷させてしまう。
【０００６】
本発明は、このような事情に対処してなされたもので、上述の従来の引戸用戸当たりを改良して引戸の移動の規制距離を変更可能とすることを課題とする。
【０００７】
【課題を解決するための手段】
前述の課題を解決するため、本発明に係る引戸用戸当たりは、次のような手段を採用する。
【０００８】
即ち、請求項１では、引戸の木口面に固定される座金と、この座金に基端部が着脱自在に装着され先端部に弾性部材を有する本体部材とからなる引戸用戸当りにおいて、座金は木口面又は戸枠に固定され、弾性部材は座金に係合可能な係合部を備え、基端部を座金に装着した第１の戸当り取付形態と、弾性部材の係合部を座金に装着した第２の戸当り取付形態とを選択可能に構成し、引戸の引き残し距離を変更可能にしたことを特徴とする。
【０００９】
この手段では、引戸の木口面又は戸枠に固定される座金に対して、基端部を座金に装着した第１の戸当り取付形態と、弾性部材の係合部を座金に装着した第２の戸当り取付形態のそれぞれにおいて、本体部材の装着が行われ、異なる引き残し距離が提供され、戸の移動量が規制される。
【００１０】
また、引戸の移動量の規制を解除したい場合、第１の戸当り取付形態又は第２の戸当り取付形態のどちらか引き残り距離の短い戸当り取付形態を採用する。よって、本体部材は座金に装着されたままであるから、本体部材の紛失及び座金の剥き出し状態となることが防止される。
【００１１】
また、請求項２では、請求項１記載の引戸用戸当りにおいて、第２の戸当り取付形態は、長尺部材からなる本体部材を、引戸の木口面又は戸枠に沿って平行に取付けた形態であることを特徴とする。
【００１２】
この手段では、第２の戸当たり取付形態では、長尺部材である本体部材の引戸の木口面又は戸枠に沿って平行に取付けるため、第1の戸当り取付形態の引き残し距離は、第２の戸当たり取付形態の引き残し距離に変更されることとなる。
【００１３】
また、請求項３では、請求項１又は２記載の引戸用戸当りにおいて、弾性部材は引戸の木口面又は戸枠と衝突する凸面形状の衝突部を備え、衝突部は第１の戸当り取付形態における第一衝突部と、第２の戸当り取付形態における第２衝突部とからなることを特徴とする。
【００１４】
この手段では、第１の戸当り取付形態及び第２の戸当り取付形態のそれぞれにおいて、引戸の木口面又は戸枠と当接する際に衝撃を緩衝する２つの衝突部を備え、衝撃音を発生や引戸の木口面又は戸枠の損傷を防止することができる。
【００１５】
また、請求項４では、請求項１〜３いずれか記載の引戸用戸当りにおいて、弾性部材は衝突部の内部に空隙を備えたことを特徴とする。
【００１６】
この手段では、弾性部材が引戸の木口面又は戸枠と当接する際、空隙が変形して衝撃を分散、吸収する。
【００１７】
また、請求項５では、請求項１〜４いずれか記載の引戸用戸当りにおいて、基端部と係合部は、座金と雌雄係合により着脱自在に構成されていることを特徴とする。
【００１８】
この手段では、基端部と係合部は、座金と雌雄係合により着脱自在に構成されているため、それぞれの着脱がワンタッチで行える。
【００１９】
【発明の実施の形態】
以下、本発明の実施の形態を図面に基づいて説明する。
【００２０】
図１乃至図９は、本発明の引戸用戸当りの実施の形態を示すものである。
【００２１】
図１に示すように、本実施の形態の引戸用戸当り３０は、引戸１０の一端にある引手１１側に対向する他端の木口面１２側に装着されるようになっている。なお、その引戸用戸当り３０は、引戸１０側に限らず、引戸２０の引手２１側に対向する他端の木口面２２側又は戸枠７０側に装着するようにしてもよい。
【００２２】
引戸用戸当り３０は、図２に示すように、引戸１０の木口面１２側に取り付けられる座金４０、円柱状の本体部材５０及び弾性部材６０によって構成されている。なお、本体部材５０にあっては、円柱状に限らず、角柱状等の他の柱状であってもよい。
【００２３】
座金４０の座金本体４１には、図３に示すように、先端を略々Ｌ字形に曲げて対向する対の係止片４２と、ネジ孔４３とが設けられ、座金本体４１と一体に形成されている。そして、対の係止片４２と座金本体４１によって形成される係入孔４４には、後述する本体部材５０側の基端部５１と弾性部材６０の係合部６１が係入されるようになっている。また、図８及び図９に示すように、係止片４２には係止片部４２ａが設けられている。
【００２４】
本体部材５０の基端部５１は、図５に示すように、係合溝５２が設けられた長尺部材で、基端部５１が係入孔４４と係合し、係合溝５２と係止片４２が係合することにより、本体部材５０が座金４０に固定されるようになっている(第１の戸当り取付形態)。このとき、図９に示すように、基端部５１の基端面５１ａと座金本体４１の係入面４１ａとが当接して互いに密着しながら、係合溝５２と係止片４２が互いに嵌合することによって、座金４０に対しての本体部材５０のガタ付きが防止されるようになっている。
【００２５】
本体部材５０の先端部には、ネオプレーンゴム製の弾性部材６０が着脱自在に装着されている。なお、この弾性部材６０にあっては、ネオプレーンゴム製に限らず、樹脂等の他の材質のものを用いてもよい。
【００２６】
弾性部材６０は、図３及び図４に示すように、座金の係入孔４４と係合する係合部６１と、引戸１０、２０又は戸枠７０に当接する凸面形状の衝突部とで構成される。座金の係止片４２と係合する凹部６２が係合部６１と衝突部の間には設けられ、係合部６１が係入孔４４と係合し、凹部６２と係止片４２が係合することにより、弾性部材６０が座金４０に固定されるようになっている(第２の戸当り取付形態)。また、図６及び図７に示すように、本体部材５０の基端部５１と同様に、凹部６２と係止片４２が互いに嵌合することによって、座金４０に対しての本体部材５０のガタ付きが防止されるようになっている。
【００２７】
係合部６１は係入片４２の内部と係合する係合片６１ｄが設けられ、座金４０との係合を円滑にしている。また、係合部６１には、係合部６１の左右の基端辺６１ａと、略円弧状の上部の基端辺６１ｃと、略円弧状の下部の基端辺６１ｂとから囲まれてなる平らな当接面６１ｆが形成されている。したがって、係合部６１の座金４０との係合において、当接面６１ｆと座金本体４１の係入面４１ａとが互いに密着されるように当接している。
【００２８】
弾性部材６０の衝突部は、第１の戸当り取付形態時に戸枠７０等と当接する第１衝突部６３と、第２の戸当り取付形態時に戸枠７０等にと当接する第２衝突部６４で構成されている。
【００２９】
よって、第１の戸当り取付形態時又は第２の戸当り取付形態時のそれぞれにおいて、引戸１０の開放に伴って引戸用戸当り３０の弾性部材６０が戸枠７０等に急激に当接した場合であっても、第１衝突部６３及び第２衝突部６４がその衝撃を分散、吸収する。また、第１の戸当り取付形態では、図８に示すように、基端部５１が座金本体４１に当接していることにより、その衝撃が座金本体４１によって受けとめられるため、補強効果が高められるとともに、対の係止片４２及び係合溝５２が変形してしまうこともなく、これら係止片４２と係合溝５２との係入状態が良好に維持される構成となっている。
【００３０】
さらに、第２の戸当り取付形態時においても、図６に示すように、係合部６１が座金本体４１に当接していることにより、その衝撃が座金本体４１によって受けとめられるため、第１の戸当り取付形態と同様の作用・効果で、これら係止片４２と凹部６２との係入状態が良好に維持される構成となっている。
【００３１】
また、衝突部の内部には空隙６５が設けられ、引戸の木口面１１,２２又は戸枠７０との衝突を受け、空隙６５自体が変形することでその衝撃を分散、吸収して弾性部材６０の弾性及び耐久性を向上させている。
【００３２】
続いて、以上のような構成の引戸用戸当り３０の使用方法について説明する。ここで、第１の戸当り取付形態とは、長尺部材である本体部材５０を引戸１０の移動方向に沿って平行となるように、基端部５１を座金４０に装着し、本体部材５０の長さ寸法Ｌ１と略一致する比較的長い引き残し距離Ｌ１を提供する引戸の戸当り形態である。また、第２の戸当り取付形態とは、本体部材５０を引戸１０の木口面１２又は戸枠７０に沿って平行にして、弾性部材６０の係合部６１を座金４０に装着し、弾性部材６０の長さ寸法Ｌ２と略一致する比較的短い引き残し距離Ｌ２を提供する引戸の戸当り取付形態である。
【００３３】
図２に示すように、引戸１０の一端にある引手１１側に対向する他端の木口面１２側に、座金本体４１の背面側を木口面１２の上部側にネジ孔４３を介して図示しないネジをねじ込んで座金４０を取り付ける。但し、その座金４０の取り付け位置に際しては、木口面１２の上部側に限るものではなく、中部又は下部側でもよい。
【００３４】
座金４０を取り付けた後、本体部材５０の基端部５１に設けられている係合溝５２を、座金本体４１の対の係止片４２間の係入孔４４に係入し(図８参照)、第１の戸当り取付形態で、引戸用戸当り３０を使用する。
【００３５】
座金４０と本体部材５０との係合は、図９に示すように、本体部材５０の基端部５１は座金４０の係入孔４４に係入され、基端部５１の下端から両側面にかけて係入孔４４の内面と密着し、係合溝５２は係止片４２と係合しているため、座金４０に対して本体部材５０はガタ付きを起こすことなく、図８に示すように、強固な係合を可能にしている。係止片４２に設けられている係止片部４２ａは、基端部５１の係合溝５２との係合において、基端面５１ａと係入面４１ａとが互いに密着して当接されるように、係合溝５２と係止片４２との隙間を無くし、ガタ付を防止している。
【００３６】
この状態で、引手１１に指を掛けて引戸１０を移動させると、本体部材５０の先端部に設けられた弾性部材６０の第１衝突部６３が戸枠７０に当接し、引戸１０の開放が引戸用戸当り３０の長さ分、即ち、本体部材５０の長さ寸法Ｌ１分の引き残し距離を提供する。
【００３７】
このとき、引手１１，２１はそれぞれの引戸１０，２０によって隠れることはないので、引戸１０と引戸２０との間の隙間によって指詰め起こすようなこともなくなる。また、引戸１０を強く開けることによって、引戸用戸当り３０の本体部材５０の弾性部材６０が戸枠７０に急激に当接した場合であっても、弾性部材６０の第１衝突部６３がその衝撃を和らげるため、衝撃音等を発生しないばかりか、その戸枠７０に傷を付けてしまうこともない。
【００３８】
一方、座金４０に弾性部材６０の係合部６１を係合し、第２の戸当り取付形態で引戸用戸当り３０を使用すれば、引戸１０の引き残し距離Ｌ1を弾性部材６０の長さ寸法である引き残り距離Ｌ２に容易に変更することができる。
【００３９】
本体部材５０の基端部５１の係合溝５２を、座金本体４１の対の係止片４２間の係入孔４４から引き抜くことで、第１の戸当り取付形態の本体部材５０をワンタッチで取り外し、弾性部材６０を上方として本体部材５０を引戸１０の木口面１２又は戸枠７０に沿って平行して、座金４０の係入孔４４に弾性部材６０の係合部６１を係合して座金４０に装着する。
【００４０】
座金４０と弾性部材６０の係合は、図７に示すように、係合部６１は座金４０の係入孔４４に係入され、係合部６１の下端から両側面にかけて係入孔４４の内面と密着し、凹部６２は係止片４２と係合しているため、第１の戸当り取付形態と同様に、座金４０に対して弾性部材６０はガタ付きを起こすことなく、図６に示すように、強固な係合を可能にしている。また、本体部材５０の係合溝５２と同様に、係止片４２の係止片部４２ａは、係合部６１と係止片４２との隙間を無くし、ガタ付きを防止している。
【００４１】
この状態で、引戸１０を移動させると、弾性部材６０の第２衝突部６４が戸枠７０に当接し、引戸１０の開放が弾性部材６０の長さ寸法Ｌ２分の引き残し距離を提供する。また、引戸１０を強く開けることによって、弾性部材６０が戸枠７０に急激に当接した場合であっても、第２衝突部６４がその衝撃を和らげるため、衝撃音が発生しないばかりか、その戸枠７０に傷を付けてしまうこともない。
【００４２】
したがって、引戸１０の引き残り距離はＬ1からＬ２に容易に変更されることになる。
【００４３】
さらに、座金４０と本体部材５０の着脱は、基端部５１及び弾性部材の係合部６１と座金４０とが雌雄係合でワンタッチで容易に着脱自在に行ことができ、引戸１０の木口面１２に対して本体部材５０の装着位置を適宜変更したい場合には、予めその木口面１２に複数の座金４０を取り付けておくことで、何れかの座金４０に対して容易なワンタッチ着脱で装着位置の変更を容易に行うこともできる。
【００４４】
このように、本実施の形態では、弾性部材６０に座金４０と係合する係合部６１を設けることで、引戸１０の移動量を規制する異なった引き残し距離を提供することができる。また、座金４０と本体部材５０とのワンタッチの着脱によって容易に変更することが可能である。よって、引戸の引き残し距離に汎用性のある、拡張性の高い引戸用戸当りを提供することを可能にしている。
【００４５】
また、本体部材５０の先端部に弾性部材６０が装着されているため、どちらの戸当り取付形態においても、引戸１０を強く移動させての戸開放時に、本体部材５０の先端部が戸枠７０等に急激に当接した場合、弾性部材６０の衝突部がその衝撃を和らげ、衝撃音を発生しないばかりか、その側端面に傷を付けてしまうこともない。
【００４６】
この実施の形態によると、弾性部材６０の長さ寸法Ｌ２を短く形成し、本体部材５０を引戸１０の木口面１２又は戸枠７０に沿って平行に座金４０と装着させる第２の戸当りの取付形態で、引戸をほぼ全開状態にすることが可能となる。よって、戸当りとして不使用時に本体部材５０を取り外して別に保管することなく、また、座金４０は常に本体部材５０によって覆われているので、座金４０自体が戸枠７０等に当接して、衝突音を発生させたり、戸枠７０を損傷させることはない。
【００４７】
さらに、第２の戸当り取付形態は、本体部材５０を引戸１０の木口面１２又は戸枠７０に沿って平行に座金４０と装着させるため、本体部材５０の横幅以上であれば、弾性部材６０の長さ寸法Ｌ２を多様に変化させることが可能となり、引戸用戸当りとしての汎用性、拡張性は極めて向上される。
【００４８】
また、弾性部材６０の衝突部の内部には緩衝孔６５が設けられているため、第１及び第２の戸当り取付形態においても、引戸の木口面１２又は戸枠７０との衝突の衝撃を分散、吸収して衝突部を助勢し、弾性部材６０の弾性及び耐久性を向上させている。
【００４９】
なお、この実施の形態では、図２に示したように、座金４０側に対の係止片４２を設け、本体部材５０側に係合溝５２を設け、その係合溝５２を対の係止片４２間の係入孔４４に係入させるようにした場合について説明したが、この例に限らず、図示しないが、座金４０側に係合溝を設け、本体部材５０側に対の係止片を設け、これら係止片間の係入孔を係合溝に落とし込むようにしてもよい。
【００５０】
また、図示しないが、弾性部材６０の係合部６１を複数設けて、座金４０と係合する係合部６１によって弾性部材６０の長さ寸法を変化させ、複数の戸当りの引き残し距離を提供することも可能である。
【００５１】
【発明の効果】
このように、本発明の引戸用戸当りでは、弾性部材に座金と係合する係合部を設けることで、異なる引き残し距離を提供して引戸の移動量を規制し、その引き残し距離の変更は、座金と本体部材の容易なワンタッチの着脱により行うことができる。よって、引戸の引き残し距離に汎用性のある、拡張性の高い引戸用戸当りを提供することを可能にしている。
【図面の簡単な説明】
【図１】  本発明の引戸用戸当りの実施の形態を示す斜視図である。
【図２】  図１の引戸を移動させた状態を示す要部を拡大した斜視図である。
【図３】  図１の引戸用戸当りの分解斜視図である。
【図４】  図３の引戸用戸当りの反転斜視図である。
【図５】  図１の使用時(第１の取付形態)の分解斜視図である。
【図６】  図２のＡ−Ａ断面図である。
【図７】  図６のＢ−Ｂ断面図である。
【図８】  図５において、座金と本体部材の係合を示す断面図である。
【図９】  図８のＣ−Ｃ断面図である。
【符号の説明】
１０、２０  引戸
１１、２１  引手
１２、２２  木口面
３０        引戸用戸当り
４０        座金
４１        座金本体
４２        係止片
４３        ネジ孔
４４        係入孔
５０        本体部材
５１        係入片
５２        係合溝
６０        弾性部材
６１        係合部
６２        凹部
６３        第１衝突部
６４        第２衝突部
６５        空隙
７０        戸枠
【図１】
0004488659.tif 000002
【図２】
0004488659.tif 000003
【図３】
0004488659.tif 000004
【図４】
0004488659.tif 000005
【図５】
0004488659.tif 000006
【図６】
0004488659.tif 000007
【図７】
0004488659.tif 000008
【図８】
0004488659.tif 000009
【図９】
0004488659.tif 000010